【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
マット本体を構成するメインセルと、前記マット本体とベッド装置のデッキ部との間に配置されるサポートセルとを制御するエアセル制御装置であって、
ベッド装置の背上げ又は膝上げを検出する検出手段と、
前記検出手段によりベッド装置の背上げ又は膝上げが検出された場合には、前記サポートセルが設定圧力になるように給排気することによりサポートセルの内圧を制御する制御手段と、
を備えることを特徴とするエアセル制御装置。
【請求項２】
前記サポートセルは、ベッド装置の長手方向両側の端部近傍に配置され、
前記制御手段は、サポートセルの内圧を調整する場合に、両側に配置されたサポートセルを制御することを特徴とする請求項１に記載のエアセル制御装置。
【請求項３】
前記制御手段は、サポートセルの内圧を調整する場合に、両側に配置されたサポートセルを同時に制御することを特徴とする請求項２に記載のエアセル制御装置。
【請求項４】
前記両側に配置されたサポートセルの内圧の差に応じて報知を行う報知手段を更に備えることを特徴とする請求項２又は３に記載のエアセル制御装置。
【請求項５】
前記制御手段は、前記サポートセルの内圧を制御する場合に、前記メインセルの内圧も制御することを特徴とする請求項１から４の何れか一項に記載のエアセル制御装置。
【請求項６】
前記制御手段は、背上げ動作又は膝下げ動作が行われているときに、メインセルの内圧を更に制御することを特徴とする請求項１から４の何れか一項に記載のエアセル制御装置。
【請求項７】
マット本体を構成するメインセルと、前記マット本体とベッド装置のデッキ部との間に配置されるサポートセルとを制御するエアセル制御装置であって、
ベッド装置の背上げ角度又は膝上げ角度を検出する検出手段と、
前記検出手段により、ベッド装置の背下げ角度又は膝下げ角度が所定の閾値以上検出された場合には、前記サポートセルが設定圧力になるように給排気することにより、サポートセルの内圧を制御する制御手段と、
を備えることを特徴とするエアセル制御装置。
【請求項８】
マット本体を構成するメインセルと、前記マット本体とベッド装置のデッキ部との間に配置されるサポートセルとを制御するエアセル制御装置であって、
ベッド装置の高さを検出する検出手段と、
前記検出手段により検出されるベッド装置の高さに基づいて、前記サポートセルが設定圧力になるように給排気することによりサポートセルの内圧を制御する制御手段と、
を備えることを特徴とするエアセル制御装置。
【請求項９】
マット本体を構成するメインセルと、前記マット本体とベッド装置のデッキ部との間に配置されるサポートセルとを制御するエアセル制御装置であって、
患者の状態を取得する患者状態取得手段と、
前記患者状態取得手段により取得された患者の状態に基づいて、前記サポートセルが設定圧力になるように給排気することによりサポートセルの内圧を制御する制御手段と、
を備えることを特徴とするエアセル制御装置。
【請求項１０】
マット本体を構成するメインセルと、前記マット本体とベッド装置のデッキ部との間に配置されるサポートセルとを制御するエアセル制御装置であって、
ベッド装置の背上げ又は膝上げの操作を検出する検出手段と、
前記検出手段によりベッド装置の背上げ又は膝上げの操作が検出された場合には、前記サポートセルが設定圧力になるように給排気することによりサポートセルの内圧を制御する制御手段と、
前記制御手段により、前記サポートセルが設定圧力となった場合に、前記検出された操作に応じて背上げ動作又は膝上げ動作を行う動作手段と、
を備えることを特徴とするエアセル制御装置。
【請求項１１】
複数のメインセルにより構成されているマットレス装置であって、
前記マットレス装置には、前記メインセルと、前記マットレス装置とベッド装置のデッキ部との間に配置されるサポートセルとを制御するエアセル制御装置が接続されており、
前記エアセル制御装置は、請求項１から１０の何れか一項に記載されたエアセル制御装置であることを特徴とするマットレス装置。
【請求項１２】
マット本体と、前記マット本体を構成するメインセルと、前記マット本体とデッキ部との間に配置されるサポートセルと、前記メインセル及び前記サポートセルとを制御するエアセル制御装置とを含むベッド装置であって、
前記エアセル制御装置は、請求項１から１０の何れか一項に記載されたエアセル制御装置であることを特徴とするベッド装置。
【請求項１３】
マット本体を構成するメインセルと、前記マット本体とベッド装置のデッキ部との間に配置されるサポートセルとを制御するエアセル制御装置に、
ベッド装置の背上げ又は膝上げを検出する検出ステップと、
前記検出ステップによりベッド装置の背上げ又は膝上げが検出された場合には、前記サポートセルが設定圧力になるように給排気することによりサポートセルの内圧を制御する制御ステップと、
を実行させるためのプログラム。
【手続補正２】
【補正対象書類名】明細書
【補正対象項目名】発明の名称
【補正方法】変更
【補正の内容】
【発明の名称】エアセル制御装置、マットレス装置、ベッド装置及びプログラム
【手続補正３】
【補正対象書類名】明細書
【補正対象項目名】００１２
【補正方法】変更
【補正の内容】
【００１２】
本発明のエアセル制御装置は、
マット本体を構成するメインセルと、前記マット本体とベッド装置のデッキ部との間に配置されるサポートセルとを制御するエアセル制御装置であって、
ベッド装置の背上げ又は膝上げを検出する検出手段と、
前記検出手段によりベッド装置の背上げ又は膝上げが検出された場合には、前記サポートセルが設定圧力になるように給排気することによりサポートセルの内圧を制御する制御手段と、
を備えることを特徴とする。
本発明のエアセル制御装置は、
マット本体を構成するメインセルと、前記マット本体とベッド装置のデッキ部との間に配置されるサポートセルとを制御するエアセル制御装置であって、
ベッド装置の背上げ角度又は膝上げ角度を検出する検出手段と、
前記検出手段により、ベッド装置の背下げ角度又は膝下げ角度が所定の閾値以上検出された場合には、前記サポートセルが設定圧力になるように給排気することにより、サポートセルの内圧を制御する制御手段と、
を備えることを特徴とする。
【手続補正４】
【補正対象書類名】明細書
【補正対象項目名】００１３
【補正方法】変更
【補正の内容】
【００１３】
本発明のエアセル制御装置は、
マット本体を構成するメインセルと、前記マット本体とベッド装置のデッキ部との間に配置されるサポートセルとを制御するエアセル制御装置であって、
ベッド装置の高さを検出する検出手段と、
前記検出手段により検出されるベッド装置の高さに基づいて、前記サポートセルが設定圧力になるように給排気することによりサポートセルの内圧を制御する制御手段と、
を備えることを特徴とする。
【手続補正５】
【補正対象書類名】明細書
【補正対象項目名】００１４
【補正方法】変更
【補正の内容】
【００１４】
本発明のエアセル制御装置は、
マット本体を構成するメインセルと、前記マット本体とベッド装置のデッキ部との間に配置されるサポートセルとを制御するエアセル制御装置であって、
患者の状態を取得する患者状態取得手段と、
前記患者状態取得手段により取得された患者の状態に基づいて、前記サポートセルが設定圧力になるように給排気することによりサポートセルの内圧を制御する制御手段と、
を備えることを特徴とする。
本発明のエアセル制御装置は、
マット本体を構成するメインセルと、前記マット本体とベッド装置のデッキ部との間に配置されるサポートセルとを制御するエアセル制御装置であって、
ベッド装置の背上げ又は膝上げの操作を検出する検出手段と、
前記検出手段によりベッド装置の背上げ又は膝上げの操作が検出された場合には、前記サポートセルが設定圧力になるように給排気することによりサポートセルの内圧を制御する制御手段と、
前記制御手段により、前記サポートセルが設定圧力となった場合に、前記検出された操作に応じて背上げ動作又は膝上げ動作を行う動作手段と、
を備えることを特徴とする。
【手続補正６】
【補正対象書類名】明細書
【補正対象項目名】００１５
【補正方法】変更
【補正の内容】
【００１５】
本発明のマットレス装置は、
複数のメインセルにより構成されているマットレス装置であって、
前記マットレス装置には、前記メインセルと、前記マットレス装置とベッド装置のデッキ部との間に配置されるサポートセルとを制御するエアセル制御装置が接続されており、
前記エアセル制御装置は、上記に記載された本発明のエアセル制御装置であることを特徴とする。
本発明のベッド装置は、
マット本体と、前記マット本体を構成するメインセルと、前記マット本体とデッキ部との間に配置されるサポートセルと、前記メインセル及び前記サポートセルとを制御するエアセル制御装置とを含むベッド装置であって、
前記エアセル制御装置は、上記に記載された本発明のエアセル制御装置であることを特徴とする。
【手続補正７】
【補正対象書類名】明細書
【補正対象項目名】００１６
【補正方法】変更
【補正の内容】
【００１６】
本発明のプログラムは、
マット本体を構成するメインセルと、前記マット本体とベッド装置のデッキ部との間に配置されるサポートセルとを制御するエアセル制御装置に、
ベッド装置の背上げ又は膝上げを検出する検出ステップと、
前記検出ステップによりベッド装置の背上げ又は膝上げが検出された場合には、前記サポートセルが設定圧力になるように給排気することによりサポートセルの内圧を制御する制御ステップと、
を実行させることを特徴とする。
【手続補正８】
【補正対象書類名】明細書
【補正対象項目名】００３０
【補正方法】変更
【補正の内容】
【００３０】
また、マット本体７と、サポートセル１０と、エアセル制御装置２０とをマットレス装置として一体に形成しても良い。この場合、ベース５にマットレス装置が載置されることとなる。なお、エアセル制御装置２０は、一体に形成されず、例えば給排気管を介して外部に接続される構成としても良い。